(57)【要約】【課題】本発明は少芯数のコネクタでも、ＦＰＣの安定した保持力が確保することができ、接続不良にも繋がらなく、より一層の低背化が可能なコネクタを提供する。【解決手段】本目的は、ＦＰＣ８０に係止部８２を設け、一端側に係止部８２と係合する係合部２４と他端側に回動部材１６により押圧される押受部２６と押受部２６の先端に内側に突出した突出部３４とを有する第一片２０と、他端側に基板に接続する接続部３０を有する第二片２２と、第一片２０と第二片２２の一端側とを連結する連結支点部３２とを備えるロック部材１８をハウジング１２に装着し、回動部材１６を回動させロック部材１８の係合部２４をＦＰＣ８０の係止部８２に係合させる際には係合部２４に対向する位置に第二片２２がなく、かつ、ロック部材１８に対応する位置でハウジング１２に切欠部４２を設けることで達成できる。【選択図】  図１
2006147271.tif 000002
【特許請求の範囲】
【請求項１】
フレキシブルプリント基板（ＦＰＣ）と着脱自在に嵌合するコネクタであって、該フレキシブルプリント基板と接触する接触部を有する複数のコンタクトと、このコンタクトが保持・固定されるとともに前記フレキシブルプリント基板が挿入される嵌合口を有するハウジングと、前記フレキシブルプリント基板と係合するロック部材と、前記コンタクト及び前記ロック部材を弾性変形させる回動部材とを備えるコネクタにおいて、
前記フレキシブルプリント基板に係止部を設け、一端側に前記該係止部と係合する係合部と他端側に前記回動部材により押圧される押受部と該押受部の先端に内側に突出した突出部とを有する第一片と、一端側若しくは他端側に基板に接続する接続部とを有する第二片と、前記第一片と前記第二片の他端側若しくは一端側とを連結する連結支点部とを備えるロック部材を前記ハウジングに装着し、前記ロック部材に対応する位置で、前記ハウジングの上面側に切欠部を設けることを特徴とするコネクタ。
【請求項２】
フレキシブルプリント基板（ＦＰＣ）と着脱自在に嵌合するコネクタであって、該フレキシブルプリント基板と接触する接触部を有する複数のコンタクトと、このコンタクトが保持・固定されるとともに前記フレキシブルプリント基板が挿入される嵌合口を有するハウジングと、前記フレキシブルプリント基板と係合するロック部材と、前記コンタクト及び前記ロック部材を弾性変形させる回動部材とを備えるコネクタにおいて、
前記フレキシブルプリント基板に係止部を設け、一端側に前記該係止部と係合する係合部と他端側に前記回動部材により押圧される押受部と該押受部の先端に内側に突出した突出部とを有する第一片と、他端側に基板に接続する接続部とを有する第二片と、前記第一片と前記第二片の一端側とを連結する連結支点部とを備えるロック部材を前記ハウジングに装着し、前記回動部材を回動させ前記ロック部材の係合部を前記フレキシブルプリント基板の係止部に係合させる際には前記係合部に対向する位置に前記第二片がないことを特徴とするコネクタ。
【請求項３】
前記第二片の高さを０．０８〜０．１２ｍｍにすることを特徴とする請求項２記載のコネクタ。
【請求項４】
前記第二片に、前記連結支点部より前記係合部に対向する方向に延設部を設け、前記延設部は前記第一片の係合部より短くし、前記回動部材を回動させ前記ロック部材の係合部を前記フレキシブルプリント基板の係止部に係合させる際には前記係合部に対向する位置まで前記延設部が来ないようにすることを特徴とする請求項２又は３記載のコネクタ。
【請求項５】
前記第二片の延設部の先端と前記連結支点部との間に固定部を設けることを特徴とする請求項４記載のコネクタ。
【請求項６】
前記コンタクトは、一端側に前記フレキシブルプリント基板と接触する接触部と他端側に前記回動部材により押圧される押受部と該押受部の先端に内側に突出した突出部とを有する第一片と、一端側に基板と接続する接続部と他端側に支点部より延設された延設部とを有する第ニ片と、前記第一片と前記第二片の支点部とを連結する連結部とを備え、前記接触部と前記連結部と前記支点部と前記接続部とを略倒Ｕ字形状に配置され、
前記回動部材は、回動させるための操作部と長手方向に連設した押圧部と前記コンタクトの押受部及び前記ロック部材の押受部が挿入できる係止孔とを備え、前記押圧部が前記コンタクトの押受部と延設部及び前記ロック部材の押受部と接続部との間で回動するように前記ハウジングに装着されることを特徴とする請求項１〜５項のうちいずれか１項記載のコネクタ。
【発明の詳細な説明】
【技術分野】
【０００１】
本発明は、モバイルや液晶バックライト等に使用されるコネクタに関するもので、特にフレキシブルプリント基板（以下「ＦＰＣ」という）の挿入時にコネクタへロックする構造に関するものである。
【背景技術】
【０００２】
携帯電話やＣＣＤカメラ等に使用されるコネクタは、狭ピッチで極薄（所謂軽薄短小）であり、１つのタイプは主にハウジングとコンタクトとを備え、ハウジングにＦＰＣを挿入し、コンタクトの接触部に接触させる構造のもの（所謂、ノンＺＩＦタイプ）やまた違うタイプとしては主にハウジングとコンタクトとスライダーとを備え、ハウジングとスライダーとでＦＰＣを挟持する構造のもの（所謂、ＺＩＦタイプとピアノタッチタイプ）がある。ハウジングとスライダーとでＦＰＣを保持する方法には、色々考えられるが、中でもハウジングにＦＰＣを挿入した後にスライダーを挿入しＦＰＣをコンタクトに押しつける構造のものが多い。また、客先の仕様や狭ピッチを図るためには、前記コンタクトの接続部を前記ハウジングの嵌合口側に配置しなければならないこともある。
ハウジングには、コンタクトが挿入される所要数の挿入孔が設けられるとともにＦＰＣが挿入される嵌合口が設けられている。
コンタクトは主にＦＰＣと接触する接触部と基板等に接続する接続部とハウジングに固定される固定部とを備えている。このコンタクトは、圧入等によってハウジングに固定されている。
下記にＺＩＦタイプとしての特許文献１（実開平６−６０９８３号）とピアノタッチタイプとしての特許文献２（特開平１３−２５７０２０号）を例示する。また、ＦＦＣをロックする構造として、特許文献３（実開平６−８２７８３号）を例示する。さらに、ＦＰＣのロック構造として、本出願人が既に出願した特許文献４（特開２００４−−２２１０６７）を例示する。
【特許文献１】例えば、ゼロインサーションフォース構造としては、実開平６−６０９８３号がある。実開平６−６０９８３号の要約によると、その目的は、電子機器や通信機器内の狭いスペースに使用されるスライダー付プリント基板用コネクタに関するものであり、その構成は、コネクタのスライダーの両側端部にそのスライダーが挿入されるハウジングへの挿入ガイドとして手前側が固定されたＵ字形状のアーム部を形成し、そのＵ字形状のアーム部の開放端側に凸部を設けるとともに、Ｕ字形状のアーム部の開放端が挿入方向から目視できるように切欠部を設け、ハウジングの両側端部にはスライダーの凸部が係合する傾斜面を有する突出部を設け、スライダーをフレキシブル・プリント基板の接続端子部とともにハウジングに挿入されるとき、当該スライダーの凸部がハウジングの傾斜面を有する突出部を乗り越えることにより、そのＵ字形状のアーム部の開放端が一時的に外側に広げられ、かつ挿入完了時にその開放端が正常位置に復帰するようにしたコネクタが開示されている。
【特許文献２】所謂、ピアノタッチ構造としては、特開平１３−２５７０２０号に、コネクタのコンタクトとＦＰＣ叉はＦＦＣのパターンとの位置合わせを確実に行うことを目的とし、該文献２には、ＦＰＣ叉はＦＦＣが挿入される開口側の、コネクタの端子ブロックの各コンタクト間の稜線上に突起を列設して、端子ブロックにＦＰＣ叉はＦＦＣを挿入した後に、スライダを移動させることによってＦＰＣ叉はＦＦＣを前記コンタクトに押圧させ、前記スライダでＦＰＣ叉はＦＦＣをコンタクトに押しつけ電気接続させる際に、この突起がＦＰＣ叉はＦＦＣのパターン間の凹部に入ることにより、コネクタのコンタクトとＦＰＣ叉はＦＦＣのパターンとの位置合わせを確実に行うものが開示されている。
【特許文献３】フレキシブルフラットケーブルをロックする構造として、実開平６−８２７８３号に、フレキシブルケーブルの裏面にリジットな補強板が取り付けられているフラットケーブルでも容易にスライダーの爪に係止させることを目的とし、該文献３にはコンタクトピンを内装し、フラットケーブルを差し込む嵌合空間を形成したハウジングの嵌合空間内に、スライダーを挿抜自在に且つ抜き出し時に外側に回動可能に取り付け、前記嵌合空間にフラットケーブルを差し込んでからスライダーを嵌合空間に押し込むと、フラットケーブルがコンタクトピンに電気的に接続されるコネクタにおいて、前記スライダーのフラットケーブル当接面に、フレキシブルケーブルの裏面に補強板があてがわれたフラットケーブルのフレキシブルケーブル及び補強板に形成された係止部に挿入係止される係止突子を突設したものが開示されている。
【特許文献４】ＦＰＣをロックする構造として、特開２００４−２２１０６７に、少芯数のコネクタでも、要求されたＦＰＣの保持力を確保することができ、接続不良にも繋がらないコネクタを提供することを目的とし、ＦＰＣと着脱自在に嵌合するコネクタであって、ＦＰＣと接触する接触部を有する所要数のコンタクトと、このコンタクトが保持・固定されるとともにＦＰＣが挿入される嵌合口を有するハウジングとを備えるコネクタにおいて、ＦＰＣに係止部を設け、係止部と係合する係合部を有するロック部材をハウジングに装着し、ロック部材の係合部をＦＰＣの係止部に係合させることによりＦＰＣがハウジングから抜けないようにする構造にし、更に前記係合部に対応した位置に溝部を設けることでより確実なロックができる構造のものが開示されている。
【発明の開示】
【発明が解決しようとする課題】
【０００３】
近年では、客先の仕様によって、４〜１０芯と言った少芯数の要求も増えてきている。ＦＰＣの挿入力は小さい方が良いが、ＦＰＣの保持力は大きい方がよい。このようにＦＰＣの挿入力と保持力には相反することが要求されている。上述した所謂ノンＺＩＦタイプでは、ＦＰＣの挿入力と保持力は、前記コンタクトの接触圧（力）によって決まる。即ち、ＦＰＣの保持力は、コンタクトの芯数にコンタクト１芯当たりの接触圧を乗じた力になる。客先からの保持力５Ｎという要求に対して、１０芯以下では、５Ｎという保持力を確保することができず、ＦＰＣが抜けてしまい接続不良になると言った解決すべき課題があった。
また、上述したＺＩＦタイプの即ち、前記ＦＰＣを前記ハウジングに挿入した後に前記スライダーで前記ＦＰＣを前記コンタクトへ押しつけるものでも、スライダーを挿入した分の初期値が上がるだけで、依然としてコンタクトの接触圧の影響が大きく、客先からの保持力５Ｎという要求に対して、１０芯以下では、５Ｎという保持力を確保することができず、ＦＰＣが抜けてしまい接続不良になると言った課題を解決出来なかった。
なお、文献３のように、フレキシブルケーブルの係止部に突設したスライダーの係止突子を挿入係止されるものでも、スライダーの挿入方向とフレキシブルケーブルの挿入方向が同一のため、依然として、コンタクトの接触圧の影響が大きく、客先からの保持力５Ｎという要求に対して、１０芯以下では、５Ｎという保持力を確保することができず、ＦＰＣが抜けてしまい接続不良になると言った課題を解決出来なかった。
【０００４】
文献２と文献３とを組み合わせて、文献３のように、文献２に示した所謂ピアノタッチタイプのものに、ＦＰＣに係止部とスライダーに係止突子とを設けたロック構造にすると、ＦＰＣの挿入方向とスライダーの回転方向が違うために芯数が少なくてもＦＰＣの保持力は確保できるが、スライダーには弾性がないので無理にＦＰＣを保持力以上の力で引っ張るとスライダー若しくはＦＰＣが破損してしまう。また、ＦＰＣがこじられる場合には、ＦＰＣを挿入方向と反対方向に引っ張るというよりは、斜め上方へ引っ張るのが一般的であるが、この場合にはスライダーの回転方向と同方向になるため、要求された保持力を得られないことがあった。
【０００５】
そこで、本出願人は、特許文献４のように、前記ロック部材の係合部に対向する位置に、溝部を設ける構造のものを提案している。このような構造のものでも、３N以上の安定した保持力を確保できる。しかし、近年より一層の低背化の要求が強くなってきており、文献４のような構造のロック部材では、さらなるコネクタの低背が困難であった。
【０００６】
本発明は、このような従来の問題点に鑑みてなされたもので、少芯数のコネクタでも、ＦＰＣの安定した保持力が確保することができ、接続不良にも繋がらなく、より一層の低背化が可能なコネクタを提供せんとするものである。
【課題を解決するための手段】
【０００７】
上記目的は、ＦＰＣ８０と着脱自在に嵌合するコネクタ１０であって、該ＦＰＣ８０と接触する接触部６４を有する複数のコンタクト１４と、このコンタクト１４が保持・固定されるとともに前記ＦＰＣ８０が挿入される嵌合口４０を有するハウジング１２と、前記ＦＰＣ８０と係合するロック部材１８と、前記コンタクト１４及び前記ロック部材１８を弾性変形させる回動部材１６とを備えるコネクタ１０において、前記ＦＰＣ８０に係止部８２を設け、一端側に前記係止部８２と係合する係合部２４と他端側に前記回動部材１６により押圧される押受部２６と該押受部２６の先端に内側に突出した突出部３４とを有する第一片２０と、一端側若しくは他端側に基板に接続する接続部３０とを有する第二片２２と、前記第一片２０と前記第二片２２の他端側若しくは一端側とを連結する連結支点部３２とを備えるロック部材１８を前記ハウジング１２に装着し、前記ロック部材１８に対応する位置で、前記ハウジング１２の上面側に切欠部４２を設けることにより達成できる。
【０００８】
また、上記目的は、ＦＰＣ８０と着脱自在に嵌合するコネクタ１０であって、該ＦＰＣ８０と接触する接触部６４を有する複数のコンタクト１４と、このコンタクト１４が保持・固定されるとともに前記ＦＰＣ８０が挿入される嵌合口４０を有するハウジング１２と、前記ＦＰＣ８０と係合するロック部材１８と、前記コンタクト１４及び前記ロック部材１８を弾性変形させる回動部材１６とを備えるコネクタ１０において、前記ＦＰＣ８０に係止部８２を設け、一端側に前記係止部８２と係合する係合部２４と他端側に前記回動部材１６により押圧される押受部２６と該押受部２６の先端に内側に突出した突出部３４とを有する第一片２０と、他端側に基板に接続する接続部３０とを有する第二片２２と、前記第一片２０と前記第二片２２の一端側とを連結する連結支点部３２とを備えるロック部材１８を前記ハウジング１２に装着し、前記回動部材１６を回動させ前記ロック部材１８の係合部２４を前記ＦＰＣ８０の係止部８２に係合させる際には前記係合部２４に対向する位置に前記第二片がないようにすることでも達成できる。
【０００９】
前記第二片２２の高さを０．０８〜０．１２ｍｍにする。０．１２ｍｍを超えるとコネクタ１０の低背に繋がらず、０．０８ｍｍより小さいと前記ロック部材１８の強度が弱くなる。
また、前記第二片２２に、前記連結支点部３２より前記係合部２４に対向する方向に延設部２８を設け、前記延設部２８は前記第一片２０の係合部２４より短くし、前記回動部材１６を回動させ前記ロック部材１８の係合部２４を前記ＦＰＣ８０の係止部８２に係合させる際には前記係合部２４に対向する位置まで前記延設部２８が来ないようにする。
前記第二片２２の延設部２８の先端と前記連結支点部３２との間に固定部３６を設ける。
さらにまた、前記コンタクト１４は、一端側に前記ＦＰＣ８０と接触する接触部６４と他端側に前記回動部材１６により押圧される押受部６６と該押受部６６の先端に内側に突出した突出部７４とを有する第一片６０と、一端側に基板と接続する接続部７０と他端側に支点部７２より延設された延設部６８とを有する第ニ片６２と、前記第一片６０と前記第二片６２の支点部７２とを連結する連結部７３とを備え、前記接触部６４と前記連結部７３と前記支点部７２と前記接続部７０とを略倒Ｕ字形状に配置され、前記回動部材１６は、回動させるための操作部４４と長手方向に連設した押圧部４６と前記コンタクト１４の押受部６６及び前記ロック部材１８の押受部２６が挿入できる係止孔４８とを備え、前記押圧部４６が前記コンタクト１４の押受部６６と延設部６８及び前記ロック部材１８の押受部２６と接続部３０との間で回動するように前記ハウジング１２に装着する。
【００１０】
本コネクタ１０の作用としては、前記ＦＰＣ８０が前記ハウジング１２の嵌合口４０内に挿入される際には、前記コンタクト１４や前記ロック部材１８と接触若しくは係合することなく、前記回動部材１６が回動すると、前記回動部材１６の押圧部４６が前記コンタクト１４の押受部６６と延設部６８及び前記ロック部材１８の押受部２６と接続部３０との間で回動し、前記押圧部４６がそれぞれの前記押受部２６、６６を押上げることで前記コンタクト１４の支点部７２及び前記ロック部材１８の連結支点部３２を支点にして、前記コンタクト１４の接触部６４及び前記ロック部材１８の係合部２４が押し下げられた状態になる。つまり、前記ＦＰＣ８０が前記コネクタ１０に挿入される際には、力の要らない所謂ＺＩＦ（ゼロ・インサーション・フォース）機構になっている。
【発明の効果】
【００１１】
以上の説明から明らかなように、本発明のコネクタ１０によると、次のような優れた効果が得られる。
（１）前記ＦＰＣ８０と着脱自在に嵌合するコネクタ１０であって、該ＦＰＣ８０と接触する接触部６４を有する複数のコンタクト１４と、このコンタクト１４が保持・固定されるとともに前記ＦＰＣ８０が挿入される嵌合口４０を有するハウジング１２と、前記ＦＰＣ８０と係合するロック部材１８と、前記コンタクト１４及び前記ロック部材１８を弾性変形させる回動部材１６とを備えるコネクタ１０において、前記ＦＰＣ８０に係止部８２を設け、一端側に前記係止部８２と係合する係合部２４と他端側に前記回動部材１６により押圧される押受部２６と該押受部２６の先端に内側に突出した突出部３４とを有する第一片２０と、一端側若しくは他端側に基板に接続する接続部３０とを有する第二片２２と、前記第一片２０と前記第二片２２の他端側若しくは一端側とを連結する連結支点部３２とを備えるロック部材１８を前記ハウジング１２に装着し、前記ロック部材１８に対応する位置で、前記ハウジング１２の上面側に切欠部４２を設けているので、前記ロック部材１８の簡単な構造で、前記ロック部材１８の係合部２４の十分な変位量を確保することができ、かつ、０．１３〜０．１７ｍｍ程度コネクタの低背に繋がる。
（２）前記ＦＰＣ８０と着脱自在に嵌合するコネクタ１０であって、該ＦＰＣ８０と接触する接触部６４を有する複数のコンタクト１４と、このコンタクト１４が保持・固定されるとともに前記ＦＰＣ８０が挿入される嵌合口４０を有するハウジング１２と、前記ＦＰＣ８０と係合するロック部材１８と、前記コンタクト１４及び前記ロック部材１８を弾性変形させる回動部材１６とを備えるコネクタ１０において、前記ＦＰＣ８０に係止部８２を設け、一端側に前記係止部８２と係合する係合部２４と他端側に前記回動部材１６により押圧される押受部２６と該押受部２６の先端に内側に突出した突出部３４とを有する第一片２０と、他端側に基板に接続する接続部３０とを有する第二片２２と、前記第一片２０と前記第二片２２の一端側とを連結する連結支点部３２とを備えるロック部材１８を前記ハウジング１２に装着し、前記回動部材１６を回動させ前記ロック部材１８の係合部２４を前記ＦＰＣ８０の係止部８２に係合させる際には前記係合部２４に対向する位置に前記第二片がないようにしているので、前記ロック部材１８の簡単な構造で、前記ロック部材１８の係合部２４の十分な変位量を確保することができ、安定した保持力が確保でき、要求に応じた保持力を容易に設計でき、かつ、安定した接続が可能なコネクタ１０を提供できる。
（３）前記第二片２２の高さを０．０８〜０．１２ｍｍにしているので、安定した保持力を確保しつつ、０．０５ｍｍ程度コネクタ１０の低背に繋がる。
（４）前記第二片２２に、前記連結支点部３２より前記係合部２４に対向する方向に延設部２８を設け、前記延設部２８は前記第一片２０の係合部２４より短くし、前記回動部材１６を回動させ前記ロック部材１８の係合部２４を前記ＦＰＣ８０の係止部８２に係合させる際には前記係合部２４に対向する位置まで前記延設部２８が来ないようにし、前記ハウジング１２の上面側に切欠部４２を設けているので、前記ロック部材１８の簡単な構造で、前記ロック部材１８の係合部２４の十分な変位量を確保することができ、安定した保持力が確保でき、要求に応じた保持力を容易に設計でき、かつ、安定した接続が可能なコネクタ１０を提供でき、０．２ｍｍ程度コネクタ１０の低背に繋がる。
（５）前記第二片２２の延設部２８の先端と前記連結支点部３２との間に固定部３６を設けているので、確実に前記コンタクト１４を前記ハウジング１２に保持でき、安定した接続を得ることができる。
（６）前記コンタクト１４は、一端側に前記ＦＰＣ８０と接触する接触部６４と他端側に前記回動部材１６により押圧される押受部６６と該押受部６６の先端に内側に突出した突出部７４とを有する第一片６０と、一端側に基板と接続する接続部７０と他端側に支点部７２より延設された延設部６８とを有する第ニ片６２と、前記第一片６０と前記第二片６２の支点部７２とを連結する連結部７３とを備え、前記接触部６４と前記連結部７３と前記支点部７２と前記接続部７０とを略倒Ｕ字形状に配置され、前記回動部材１６は、回動させるための操作部４４と長手方向に連設した押圧部４６と前記コンタクト１４の押受部６６及び前記ロック部材１８の押受部２６が挿入できる係止孔４８とを備え、前記押圧部４６が前記コンタクト１４の押受部６６と延設部６８及び前記ロック部材１８の押受部２６と接続部３０との間で回動するように前記ハウジング１２に装着しているので、簡単な構造で前記ロック部材１８と同様に前記ＦＰＣ８０が挿入される際には力の掛からないＺＩＦ構造のコネクタ１０を提供できる。
【発明を実施するための最良の形態】
【００１２】
図１から図７に基づいて、本発明のコネクタの一実施例について説明する。図１（Ａ）は嵌合側上方よりみたＦＰＣが挿入されてない状態の本発明のコネクタと部分的なＦＰＣの斜視図であり、（Ｂ）は嵌合側下方よりみたＦＰＣが挿入されてない状態の本発明のコネクタの斜視図である。図２はロック部材の斜視図であり、図３はコンタクトの斜視図であり、図４は回動部材の斜視図である。図５（Ａ）はＦＰＣが挿入されてない状態のロック部材部分での断面図であり、（Ｂ）はＦＰＣが挿入された状態のロック部材部分での断面図である。図６（Ａ）はＦＰＣが挿入されてない状態のコンタクト部分での断面図であり、（Ｂ）はＦＰＣが挿入された状態のコンタクト部分での断面図である。
本発明のコネクタ１０は、主にハウジング１２と回動部材１６とコンタクト１４とロック部材１８とを備えている。
【００１３】
構成部品を説明する前に、ＦＰＣ８０について説明する。前記ＦＰＣ８０には、少なくともコンタクト１４の接触部６４と接触する接触部と該接触部から回路へ繋がるパターンと前記ロック部材１８と係合する係止部８２とを備えている。本実施例では前記ＦＰＣ８１の接触部は上面のみに配置されている。前記ＦＰＣ１８を用いることで、振動等でも安定した接続状態を保持でき、フレキシビリティをも持つことができる。
前記係止部８２の形状としては、前記ロック部材１８の係合部２４に係合できれば如何なるものでも良いが、本実施例では図１（Ａ）のようにコ字形状の切り欠きにしてもよく、貫通孔にしてもよい。仕様によっては貫通孔を止め孔にしてもよい。
【００１４】
図に基づいて本発明のコネクタ１０の構成部品について説明する。
まず、本発明のポイントであるロック部材１８について説明する。このロック部材１８は金属製であり、公知技術のプレス加工によって製作されている。前記ロック部材１８の材質としては、バネ性や成型性などが要求されるので、黄銅やベリリウム銅やリン青銅等を挙げることができる。
本実施例では、図２のように、前記ロック部材１８は略倒Ｈ形状をしており、少なくとも一端側に前記係止部８２と係合する係合部２４と他端側に前記回動部材１６により押圧される押受部２６と該押受部２６の先端に内側に突出した突出部３４とを有する第一片２０と、一端側方向に延設する延設部２８と該延設部２８上の所定の位置に前記ハウジング１２に固定する固定部３６と他端側に基板に接続する接続部３０とを有する第二片２２と、前記第一片２０と前記第二片２２とを連結する連結支点部３２とを備え、前記係合部２４と前記連結支点部３２と前記押受部２６とは略Ｔ字形状に配置されている。
また、前記第二片２２の高さを０．１ｍｍにし、従来に比べ０．０５ｍｍ低背にしている。前記第二片２２の高さは、前記ロック部材１８の強度や保持力やコネクタ１０の低背等を考慮して適宜設計する。
前記接続部３０は、本実施例では、表面実装タイプ（ＳＭＴ）にしているが、ディップタイプでも良い。前記接続部３０の位置としては、本実施例では嵌合口４０と反対側に配置している。
【００１５】
前記連結支点部３２と前記押受部２６とは、前記ＦＰＣ８０を挿入する際に、挿入力の掛からない所謂ＺＩＦ構造を果たすための部分である。前記ＦＰＣ８０を前記ハウジング１２の嵌合口４０内に挿入する際には、前記回動部材１６は開いた状態になっている。即ち、図５（Ａ）のように、前記回動部材１６の押圧部４６が前記コンタクト１４の押受部２６と接続部３０との間で斜めに立った状態になり、前記押受部２６が前記押圧部４６によって押し上げられる（図面の上方向）ことで、前記ロック部材１８の連結支点部３２を支点にし、前記ロック部材１８の連結支点部３２が前記係合部２４側に傾くことによって、前記係合部２４が下げられるため、前記ハウジング１２の嵌合口４０内に挿入されたＦＰＣ８０と接触するようになる。前記連結支点部３２と前記押受部２６の大きさや形状は、このような作用を果たすために、適宜設計されている。
【００１６】
前記ロック部材１８の係合部２４は、前記ＦＰＣ８０の係止部８２に対応した位置に設けられ、かつ、前記ロック部材１８は前記係合部２４と前記係止部８２とが係合できるように前記ハウジング１２に圧入や引っ掛け（ランス）等により固定する。前記係合部２４の大きさは要求される保持力を満足するように適宜設計し、また、形状は前記ＦＰＣ８０の係止部８２に係合できれば如何なるものでもよいが、保持力等を考慮し、本実施例では略直角三角形にし、垂直の面が前記ＦＰＣ８０の係止部８２の面に接するようにする。
前記係合部２４の先端までの長さと前記延設部２８との長さとの関係は、前記延設部２８の方を短くし、前記ロック部材１８が前記ＦＰＣ８０に係合した際に前記係合部２４が前記延設部２８に接触することなく、かつ、前記係合部２４が十分な変位量を確保できるように適宜設計設計する。本実施例では、０．２ｍｍ程度短くしている。
本実施例では、前記係合部２４は前記ＦＰＣ８０を前記ハウジング１２の嵌合口４０に挿入する時は前記係止部８２に係合しないが、前記回動部材１６を回動することにより前記ＦＰＣ８０の係止部８２に前記ロック部材１８の係合部２４が係合するようになっている。
【００１７】
前記固定部３６は、前記延設部２８上で、前記連結支点部３２の近傍に設けられており、その位置は嵌合深さや有効嵌合長を考慮して適宜設計する。本実施例では圧入により固定されているため、保持力等を考えた大きさの矢じりが設けられている。
また、前記ロック部材１８の押受部２６の先端に設けられた突出部３４は、回動部材１６の押圧部４６をコンタクト１４の押受部６６と延設部６８及び前記ロック部材１８の押受部２６と接続部３０との間で回動させるとき、前記回動部材１６の係止孔４８に係合させることで、回動部材１６の回動に対する強い反発力に対抗し、回動部材１の中央部が図１（Ａ）の矢印「ロ」方向に膨れてしまうことを防ぐようにするためのものであり、前記コンタクト１４と前記ロック部材１８のどちらか一方か双方に設けることが望ましい。本実施例では双方に設けている。
【００１８】
本実施例では、前記ロック部材１８は図２のように上述したような構造にした。本発明の目的が、安定した保持力を確保しつつ、更なる低背化をすることである。そのために、下述する前記ハウジング１２に切欠部４２を設けることと、前記ロック部材１８の係合部２４に対向する側に前記ロック部材１８の部位がないようにするとともに前記ロック部材１８の第二片２２の高さを薄くすることを組み合わせれば、保持力を確保しつつ、低背化が可能である。最も低背ができるのは、本実施例のように、上記２点全ての構造をとった場合である。
しかし、低背ということでは、２点全てではなく、どちらか一方でも良い。例えば、前記ハウジング１２に切欠部４２を設け、特許文献４のように第ニ片２２の一端側に接続部３０を設ける構造でもよい。また、例えば、前記切欠部４２を設けないで、前記ロック部材１８の係合部２４に対向する側に前記ロック部材１８の部位がないようにするとともに前記ロック部材１８の第二片２２の高さを薄くしたものでもよい。
また、前記ロック部材１８の係合部２４に対向する側に前記ロック部材１８の部位がない構造としては、本実施例のような構造のものでも良いが、前記連結支点部３２から延設された前記延設部２８を設けないことでもよい。
【００１９】
次に、発明のもう１つのポイント部分であるハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２には、図１のように所要数のコンタクト１４が装着される挿入溝３８が設けられており、圧入や引っ掛け（ランス）や溶着等によって固定されている。また、長手方向両側には、前記回動部材１６の軸５２が回動可能に装着される軸受部４３が設けられている。この軸受部４３の形状や大きさは、回動部材１６の軸５２が回動できるように装着されていれば如何なるものでもよく、この役割やハウジング１２の強度や大きさ等を考慮して適宜設計する。なお、長手方向両側には、前記回動部材１６のロック部５０に対応した位置に係止溝が設けられている。
【００２０】
前記ハウジング１２には、ＦＰＣ８０が挿入される嵌合口４０が設けられている。
また、前記ハウジング１２の上面には、前記ロック部材１８に対応した位置に、切欠部４２が設けられている。この切欠部４２が、前記ロック部材１８の前記連結支点部３２の長さを長くすることで前記係合部２４の変位量を大きくし、かつ、コネクタ１０の低背化を図るためのものである。即ち、特許文献４に示したような、本出願人が既に提案した構造のものでも、前記切欠部４２を設けることで、３Ｎの保持力を維持しつつ、０．１５ｍｍの低背化をしている。前記切欠部４２の大きさは、このような役割や前記ハウジング１２の強度等を考慮して適宜設計している。
【００２１】
次に、図３に基づいて、コンタクト１４について説明する。このコンタクト１４は前記ロック部材１８同様に金属製であり、公知技術のプレス加工によって製作されている。前記コンタクト１４の材質としては、バネ性や導電性などが要求されるので、黄銅やベリリウム銅やリン青銅等を挙げることができる。
【００２２】
前記コンタクト１４は、図６（Ａ）のように倒略Ｈ形状をしており、主に、一端側に前記ＦＰＣ８０と接触する接触部６４と他端側に前記回動部材１６により押圧される押受部６６と該押受部６６の先端に内側に突出した突出部７４とを有する第一片６０と、一端側に基板と接続する接続部７０と他端側に支点部７２より延設された延設部６８とを有する第ニ片６２と、前記第一片６０と前記第二片６２の支点部７２とを連結する連結部７３とを備えている。前記接触部６４と前記連結部７３と前記支点部７２と前記接続部７０とは、略倒Ｕ字形状に配置されている。前記接触部６４は、ＦＰＣ８０と接触し易いように凸部形状にしており、前記接続部７０は本実施例では図１のように表面実装タイプ（ＳＭＴ）にしているが、ディップタイプでも良い。即ち、接触部６４と前記接続部７０とで、前記ＦＰＣ８０を挟持するようにし、確実に前記接触部６４が前記ＦＰＣ８０と接触できるようにしている。
【００２３】
前記支点部７２と前記連結部７３と前記押受部６６とは、前記ＦＰＣ８０が挿入された際に、次のような作用を果たすための部分である。前記ＦＰＣ８０が前記ハウジング１２の嵌合口４０内に挿入された後に、前記回動部材１６の押圧部４６が前記コンタクト１４の延設部６８と押受部６６との間で回動すると、前記押受部６６が押圧部４６によって押し上げられることで前記コンタクト１４の支点部７２を支点にし、前記コンタクト１４の前記連結部７３が前記接触部６４側に傾くことによって、前記接触部６４が前記ＦＰＣ８０側に押圧される。前記支点部７２と前記連結部７３と前記押受部６６の大きさや形状は、このような作用を果たすために、適宜設計されている。また、前記コンタクト１４の押受部６６の先端に突出部７４を設け、回動部材１６の押圧部４６をコンタクト１４の押受部６６と延設部６８との間で回動させるとき、前記回動部材１６の係止孔４８に係合させることで、回動部材１６の回動に対する強い反発力に対抗し、回動部材１６の中央部が図１（Ａ）の矢印「ロ」方向に膨れてしまうことを防ぐようにすることが望ましい。前記突出部７４の大きさは、このような役割を果たすことが出来れば如何なる大きさでもよく、スライダー１８の係止孔４８が引っ掛かる程度に適宜設計する。
【００２４】
前記固定部７６は、前記延設部６８上で、前記支点部７２の近傍に設けられており、その位置は組立性やロック回転スペースを考慮して適宜設計する。本実施例では圧入により固定されているため、保持力等を考えた大きさの矢じりが設けられている。
【００２５】
最後に、回動部材１６について説明する。この回動部材１６は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該回動部材１６は主に操作部４４とハウジング１２に回動可能に装着される軸５２部分と前記コンタクト１４の押受部６６及び前記ロック部材１８の押受部２６を押圧する押圧部４６と前記コンタクト１４と前記ロック部材１８の押受部２６、６６が係合する係止孔４８とを備えている。前記軸５２は、回動部材１６を回動するための支点であり、ハウジング１２の長手方向両側に回動部材１６が回動可能に適宜装着されている。前記軸５２の上側には前記ハウジング１２の軸受４３に挿入し易く、かつ、回動している際に受けないようにテーパ部が設けられている。また、長手方向両側には、前記コンタクト１４の押受部２０を押圧した際に回動部材１６が高さ（図面の上）方向に持ち上がらないようにするためにハウジング１２と係合するロック部５０が設けられている。ロック部５０の形状や大きさ等は、ハウジング１２に係合できれば如何なるものでもよく、上述の役割やコネクタの大きさや強度等を考慮して適宜設計する。
【００２６】
前記押圧部４６は、前記コンタクト１４の押受部６６と延設部６８及び前記ロック部材１８の押受部２６と接続部３０との間で回動し、それぞれの前記押受部２６、６６に押し付ける部分であり、その形状としては細長形状にすることが望ましく、本実施例では楕円形状をしている。このように楕円形状にすることによって、図５（Ａ）若しくは図６（Ａ）の状態から図５（Ｂ）若しくは図６（Ｂ）の状態に回動部材１６を矢印「イ」若しくは「ハ」方向に回動させ、前記コンタクト１４の押受部３２と延設部６８及び前記ロック部材１８の押受部２６と接続部３０との間で回転させることで、押圧部４６の大きさの変化により前記コンタクト１４の押受部６６及び前記ロック部材１８の押受部２６が押し上げられ、前記コンタクト１４の接触部６４及び前記ロック部材１８の係合部２４が押し下げられ、前記接触部６４が前記ＦＰＣ８０と接触及び前記係合部２４が前記ＦＰＣ８０の係止部８２に係合するようになっている。前記押圧部４６の形状としては、前記コンタクト１４の押受部６６と延設部６８及び前記ロック部材１８の押受部２６と接続部３０との間で回転でき、長軸と短軸といった大きさの違いにより前記コンタクト１４の押受部６６及び前記ロック部材１８の押受部２６を押し上げられれば、如何なるものでもよい。
また、前記回動部材１６を回動した際に、回動部材１６の回動に対する反発力が強く、回動部材１６の中央部が図１の矢印「ロ」方向に膨れてしまうことを防ぐようにする為に、前記コンタクト１４の突出部７４及び前記ロック部材１８の突出部３４が係合する係止孔４８が別個独立に設けられている。前記係止孔４８を別個独立に設けることで、回動部材１６の強度アップや回動時の変形を防止している。
【産業上の利用可能性】
【００２７】
本発明の活用例としては、モバイルや液晶バックライト等に使用されるコネクタに活用され、特にＦＰＣの挿入時にコネクタ１０へロックする構造に関するものである。
【図面の簡単な説明】
【００２８】
【図１】（Ａ）  嵌合側上方よりみたＦＰＣが挿入されてない状態の本発明のコネクタと部分的なＦＰＣの斜視図である。（Ｂ）  嵌合側下方よりみたＦＰＣが挿入されてない状態の本発明のコネクタの斜視図である。
【図２】ロック部材の斜視図である。
【図３】コンタクトの斜視図である。
【図４】回動部材の斜視図である。
【図５】（Ａ）  ＦＰＣが挿入されてない状態のロック部材部分での断面図である。（Ｂ）  ＦＰＣが挿入された状態のロック部材部分での断面図である。
【図６】（Ａ）  ＦＰＣが挿入されてない状態のコンタクト部分での断面図である。（Ｂ）  ＦＰＣが挿入された状態のコンタクト部分での断面図である。
【符号の説明】
【００２９】
１０          コネクタ
１２          ハウジング
１４          コンタクト
１６          回動部材
１８          ロック部材
２０、６０    第一片
２２、６２    第二片
２４          係合部
２６、６６    押受部
２８、６８    延設部
３０、７０    接続部
３２          連結支点部
３４、６４    突出部
３６、７６    固定部
３８          挿入溝
４０          嵌合口
４２          切欠部
４３          軸受
４４          操作部
４６          押圧部
４８          係止孔
５０          ロック部
５２          軸
６４          接触部
７２          支点部
７３          連結部
８０          ＦＰＣ
８２          係止部
【図１】
2006147271.tif 000003
【図２】
2006147271.tif 000004
【図３】
2006147271.tif 000005
【図４】
2006147271.tif 000006
【図５】
2006147271.tif 000007
【図６】
2006147271.tif 000008